(57)【特許請求の範囲】
【請求項１】
シートに設けられるテーブル装置であって、
テーブル主板および前記テーブル主板の外周縁部に設けられて前記テーブル主板よりも可撓性が高い軟質材による外縁部材を含むテーブル板と、
前記テーブル主板より高い曲げ剛性を備え、前記テーブル主板および前記外縁部材の少なくとも何れか一方に装着された変形抑制部材とを有し、
前記外縁部材の少なくとも一部は前記テーブル主板との間に空間を画成する変形容易部をなしていることを特徴とするシート用テーブル装置。
【請求項２】
前記変形抑制部材は線状材により構成されていることを特徴とする請求項１に記載のシート用テーブル装置。
【請求項３】
前記テーブル主板は略長方形をなしており、前記変形抑制部材は少なくとも前記テーブル主板の長辺に沿って設けられていることを特徴とする請求項１または２に記載のシート用テーブル装置。
【請求項４】
前記変形抑制部材は前記テーブル主板の外周縁部に沿って設けられて枠状をなしていることを特徴とする請求項１または２に記載のシート用テーブル装置。
【請求項５】
前記テーブル主板は互い結合された上板と下板とを含み、前記変形抑制部材は前記上板と前記下板とに挟まれて前記テーブル主板に装着されていることを特徴とする請求項１から請求項４のいずれか一つの項に記載のシート用テーブル装置。
【請求項６】
前記変形抑制部材はヒンジ軸を兼ねる部分を含んでおり、当該部分が前記シートに回動可能に支持され、略水平に延在する使用位置と略鉛直に延在する収納位置との間を回動可能であることを特徴とする請求項１〜請求項５のいずれか一つの項に記載のシート用テーブル装置。
【請求項７】
前記変形抑制部材の前記ヒンジ軸を兼ねる部分は円形の横断面形状を有し、
前記シートには、前記ヒンジ軸を兼ねる部分が回動可能に貫通する軸受孔を有する軸支持部材が設けられていることを特徴とする請求項６に記載のシート用テーブル装置。
【請求項８】
前記変形容易部には前記空間において当該変形容易部から前記テーブル主板の外周縁部に向かって延びるリブが一体形成されていることを特徴とする請求項１から請求項７のいずれか一つの項に記載のシート用テーブル装置。
【発明の詳細な説明】
【技術分野】
【０００１】
本発明はシート用テーブル装置に関する。
【背景技術】
【０００２】
自動車などの乗物に搭載されるシートの側部や背部に設けられるテーブル装置として、テーブル板が硬質合成樹脂製の上テーブルプレートと下テーブルプレートとを結合した最中構造によって構成され、テーブル板がヒンジ軸によってシートに、略水平に延在する使用位置と略鉛直に延在する収納位置との間で、回動可能に取り付けられたものが知られている（例えば、特許文献１）。
【０００３】
また、他のテーブル装置として、テーブル板が合成樹脂製のアッパーカバーとロアーカバーとの結合した最中構造によって構成され、アッパーカバーとロアーカバーとに間に金属製のテーブルフレームが挟み込まれ、テーブルフレームに取り付けられたヒンジ軸によってシートに、略水平に延在する使用位置と略鉛直に延在する収納位置との間に、回動可能に取り付けられたものが知られている（例えば、特許文献２）。
【先行技術文献】
【特許文献】
【０００４】
【特許文献１】特開２０００−１７７４６７号公報
【特許文献２】特開２０１１−７９４３６号公報
【発明の概要】
【発明が解決しようとする課題】
【０００５】
シート用テーブル装置のテーブル板は、家具のテーブルトップ（天板）とは異なって、軽量化および占有スペースの削減のために比較的に薄いものが用いられる。このため、シート用テーブル装置のテーブル板は曲げや捩れによる歪みを生じ易く、テーブル板の上面の平坦性（平面性）を担保することが難しい。特に、テーブル板が合成樹脂製は、成形時の歪みによってテーブル板の平坦性が損ねられることもある。
【０００６】
本発明が解決しようとする課題は、テーブル板の歪みの発生を抑制あるいは加工時の歪みをなくしてテーブル板の平坦性を担保することである。
【課題を解決するための手段】
【０００７】
本発明によるシート用テーブル装置は、シート（Ｓ）に設けられるテーブル装置（１０）であって、テーブル主板（１４）および前記テーブル主板（１４）の外周縁部に設けられて前記テーブル主板（１４）よりも可撓性が高い軟質材による外縁部材（３０）を含むテーブル板（１２）と、前記テーブル主板（１２）より高い曲げ剛性を備え、前記テーブル主板（１２）および前記外縁部材（３０）の少なくとも何れか一方に装着された変形抑制部材（２６、２８）とを有する。
【０００８】
この構成によれば、変形抑制部材（２６、２８）によって、テーブル主板（１４）の歪みの発生が抑制され、テーブル主板（１４）の加工時の歪みをなくす作用も得られ、テーブル主板（１４）の平坦性が担保される。
【０００９】
本発明によるシート用テーブル装置は、好ましくは、前記変形抑制部材（２６、２８）は線状材により構成されている。
【００１０】
この構成によれば、変形抑制部材（２６、２８）のテーブル主板（１４）に対する配置の自由度が高い。
【００１１】
本発明によるシート用テーブル装置は、好ましくは、前記テーブル主板（１４）は略長方形をなしており、前記変形抑制部材（２６、２８）は少なくとも前記テーブル主板（１４）の長辺に沿って設けられている。
【００１２】
この構成によれば、テーブル主板（１４）に歪みが生じ易い部分に変形抑制部材（２６、２８）が効果的に配置され、テーブル主板（１４）の歪みの発生を抑制したり、テーブル主板（１４）の成形時の歪みをなくしたりする作用が顕著に得られる。
【００１３】
本発明によるシート用テーブル装置は、好ましくは、前記変形抑制部材（２６、２８）は前記テーブル主板（１４）の外周縁部に沿って設けられて枠状をなしている。
【００１４】
この構成によれば、変形抑制部材（２６、２８）の大型化を招くことなくテーブル主板１４の歪みの発生を抑制し、成形時の歪みをなくす効果がより一層顕著に得られる。
【００１５】
本発明によるシート用テーブル装置は、好ましくは、前記テーブル主板（１４）は互い結合された上板（１６）と下板（１８）とを含み、前記変形抑制部材（２６、２８）は前記上板（１６）と前記下板（１８）とに挟まれて前記テーブル主板（１４）に装着されている。
【００１６】
この構成によれば、変形抑制部材（２６、２８）がテーブル主板（１４）に内蔵され、変形抑制部材（２６、２８）がシート用テーブル装置の意匠性を阻害することがない。
【００１７】
本発明によるシート用テーブル装置は、好ましくは、前記変形抑制部材（２６）がヒンジ軸を兼ねる部分（２６Ｄ、２６Ｅ）を含んでおり、当該部分（２６Ｄ、２６Ｅ）が前記シート（Ｓ）に回動可能に支持され、略水平に延在する使用位置と略鉛直に延在する収納位置との間を回動可能である。
【００１８】
この構成によれば、変形抑制部材（２６）の一部（２６Ｄ、２６Ｅ）がヒンジ軸を兼ねているので、テーブル板（１２）を回動可能に支持するためのヒンジ軸を別途必要としない。
【００１９】
本発明によるシート用テーブル装置は、好ましくは、前記変形抑制部材（２６）の前記ヒンジ軸を兼ねる部分（２６Ｄ、２６Ｅ）は円形の横断面形状を有し、前記シート（Ｓ）には、前記ヒンジ軸を兼ねる部分（２６Ｄ、２６Ｅ）が回動可能に貫通する軸受孔（４４）を有する軸支持部材（４０）が設けられている。
【００２０】
本発明によるシート用テーブル装置は、好ましくは、前記外縁部材（３０）の少なくとも一部は前記テーブル主板（１４）との間に空間（３４）を画成する変形容易部（３２）をなしている。
【００２１】
この構成によれば、変形容易部（３２）において良好な緩衝性が得られる。
【００２２】
本発明によるシート用テーブル装置は、好ましくは、前記変形容易部（３２）には前記空間（３４）において当該変形容易部（３２）から前記テーブル主板（１４）の外周縁部に向って延びるリブ（３６）が一体形成されている。
【００２３】
この構成によれば、リブ（３６）の追加により、変形容易部（３２）の柔軟性の設定の自由度が高くなる。
【発明の効果】
【００２４】
本発明によるシート用テーブル装置によれば、テーブル板の外周縁部がテーブル主板よりも可撓性が高い軟質材による外縁部材によって構成されていても、変形抑制部材が、テーブル主板の歪みの発生を抑制し、且つテーブル主板の加工時の歪みをなくす作用をし、テーブル主板の平坦性が担保される。
【図面の簡単な説明】
【００２５】
【図１】本発明によるシート用テーブル装置が適用された自動車の後部座席の一つの実施形態を前側から見た斜視図
【図２】同後部座席を後側から見た斜視図
【図３】本発明によるシート用テーブル装置の一つの実施形態の平面図
【図４】同実施形態によるシート用テーブル装置の底面図
【図５】図３の線Ｖ−Ｖに沿った拡大断面図
【図６】同実施形態によるシート用テーブル装置の支持ロッド配置部の拡大部分断面斜視図
【発明を実施するための形態】
【００２６】
以下、図面を参照して、本発明に係るシート用テーブル装置を自動車の後部座席（２列目及び３列目を含む）に適用した一実施形態を説明する。以下の説明では、シートＳに着座した乗員を基準にして左右を定める。左右一対に設けられる同一構成については、共通の番号を付し、説明を省略する。
【００２７】
（全体構成）
図１及び図２に示すように、シートＳは、シートクッションＳ１と、シートバックＳ２と、ヘッドレストＳ３と、オットマンＳ４と、スライダＳ５とを有する。スライダＳ５は、前後に延びるレールを介して自動車のフロアに前後にスライド移動可能に設けられている。シートクッションは、左右に延びるレール（不図示）を介してスライダＳ５に左右にスライド移動可能に設けられている。
【００２８】
シートバックＳ２は、シートクッションＳ１に対して回動（傾倒）可能に設けられた下部シートバックＳ２Ａと、下部シートバックＳ２Ａに対して回動（傾倒）可能に設けられた上部シートバックＳ２Ｂとを有する。ヘッドレストＳ３は上部シートバックＳ２Ｂの上部に設けられている。下部シートバックＳ２Ａの後側面は、板状のバックカバーＣによって覆われている。バックカバーＣは、下部シートバックＳ２Ａの上縁よりも上方に延出し、上部シートバックＳ２Ｂの後側面と対向している。上部シートバックＳ２Ｂは、バックカバーＣの前側面に沿った位置と、バックカバーＣの前側面から前方に離れた位置との間で、下部シートバックＳ２Ａに対して傾倒することができる。
【００２９】
シートクッションＳ１の右側部には右側シールド２が装着され、左側部には左側シールド３が装着され、後側部に後側シールド４が装着されている。各シールド２、３、４は、例えば樹脂材から形成されている。右側シールド２は、前後に延び、シートクッションＳ１の右側部の下部を覆っている。左側シールド３は、前後に延びてシートクッションＳ１の左側部を覆うと共に、シートクッションＳ１の座面よりも上方に延出して壁部３Ａを形成している。壁部３Ａの上端部は、左右に拡幅されて上方を向く上端面を形成し、乗員の左腕を支持するアームレストや小物を置くための台として機能する。後側シールド４は、左右に延び、シートクッションＳ１の後側部を覆っている。後側シールド４の左端部は左側シールド３の後端部まで延び、後側シールド４の右端部は右側シールド２の後端部まで延びている。本実施形態では、後側シールド４の左端部は左側シールド３の後端部と結合されている。
【００３０】
なお、左側シールド３は、図５、図６に示されているように、板金部材５と、板金部材５の外側に取り付けられた樹脂成形品による外側パネル６と、板金部材５の内側に取り付けられた樹脂成形品による内側パネル７とを有する。
【００３１】
（シート用テーブル装置の構成）
左側シールド３の外壁側にはシート用テーブル装置１０が設けられている。以下に、図３〜図６を参照してシート用テーブル装置１０を詳細に説明する。
【００３２】
シート用テーブル装置１０は、前後方向に長い略長方形のテーブル板１２を有する。テーブル板１２は、テーブル主板１４および外縁部材３０を含んでいる。
【００３３】
テーブル主板１４は、樹脂ファスナ等による複数個の締結部材１５（図４参照）によって互いに結合された上板１６、下板（底板）１８および上板１６の上部に固定されてテーブル上面２０Ａをなす化粧板２０を含む。上板１６、下板１８および化粧板２０は合成樹脂の成形品である。
【００３４】
上板１６には下方に凸のカップホルダ部１６Ａが一体成形されている。化粧板２０にはカップホルダ部１６Ａの開口が形成されており、当該開口は、上板１６と化粧板２０とに挟まれるようにして取り付けられた加飾部材２２によって縁取りされている。上板１６には、カップホルダ部１６Ａの開口近傍に突出するゴム材による複数個の緩衝部材２４が加飾部材２２によって挟むようにして取り付けられている。
【００３５】
テーブル主板１４には変形抑制ロッド２６および２８が装着されている。変形抑制ロッド２６は、円形の横断面形状を有する金属製の１本の丸棒（線状材）を折曲したものであり、図３、図４に示されているように、テーブル主板１４の外側（後述する使用位置で外側）、前側および後側の各辺部の全域に沿って延在する部分２６Ａ、２６Ｂ、２６Ｃとテーブル主板１４の内側（後述する使用位置で内側）の辺部の前側部分および後側部分に沿って延在する部分２６Ｄ、２６Ｅとを一体に有する。なお、部分２６Ｂと部分２６Ｄとの間にはテーブル主板１４の前側の隅角部の形状に倣って鉤形に折曲した部分２６Ｆがあり、部分２６Ｆによって部分２６Ｂと部分２６Ｄとが接続されている。変形抑制ロッド２８は、金属製の１本の直線状の丸棒（線状材）であり、テーブル主板１４の内側の辺部の前側部分と後側部分との間（変形抑制ロッド２６が存在しない部分）をテーブル主板１４の内側の辺部に沿って延在している。なお、テーブル主板１４の外側および内側の辺部は、テーブル主板１４の長辺である。
【００３６】
このように、変形抑制ロッド２６および２８は、テーブル主板１４の外周縁部に沿って設けられ、互いに協働して平面視でテーブル主板１４を取り囲む略枠状をなし、各々、上板１６、下板１８および化粧板２０より高い曲げ剛性を備えている。変形抑制ロッド２６および２８は線状材によるものであるから、上述のようにテーブル主板１４に対する配置の自由度が高い。
【００３７】
変形抑制ロッド２６および２８は、図５、図６に示されているように、全体を上板１６と下板１８とに挟まれてテーブル主板１４に固定されている。変形抑制ロッド２６および２８が上板１６と下板１８とに挟まれてテーブル主板１４に固定されていることにより、変形抑制ロッド２６および２８がテーブル主板１４に内蔵され、変形抑制ロッド２６および２８がシート用テーブル装置１０の意匠性を阻害することがない。また、テーブル主板１４に対する変形抑制ロッド２６および２８の取り付けに別途取付部品を必要とすることがない。
【００３８】
外縁部材３０は、クッション部材をなすものであり、テーブル主板１４の外周縁部に当該外周縁部を取り囲むように設けられており、全体をエラストマー等の軟質材により構成され、テーブル主板１４よりも可撓性が高い。外縁部材３０は、上板１６にインサート成形あるいは上板１６と２種樹脂成形されていてもよい。外縁部材３０の上面３０Ａは、図５、図６に示されているように、化粧板２０上に載置された物品の落下を防止するために、化粧板２０の上面より高位にある。
【００３９】
外縁部材３０がテーブル主板１４の前辺および後辺に沿う部分は変形容易部３２をなしている。変形容易部３２は、図４に示されているように、変形容易部３２の他の部分より薄肉で、断面形状が略１／４円形にテーブル主板１４の上側から下側に向かって湾曲して延在し、下端縁が自由端のリップ状をなしており、テーブル主板１４の前辺あるいは後辺との間に空間３４を画成している。
【００４０】
変形容易部３２には空間３４をテーブル主板１４の前辺あるいは後辺に離接する方向（前後方向）に延在して変形容易部３２をテーブル主板１４の前辺あるいは後辺に向かって延びるリブ３６が一体成形されている。リブ３６はテーブル主板１４の前辺あるいは後辺の延在方向に所定の間隔をおいて互いに平行に複数個設けられている。
【００４１】
変形抑制ロッド２６がテーブル主板１４の内側の辺部の前側部分および後側部分に沿って延在する部分２６Ｄ、２６Ｅは、図３、図４に示されているように、同一軸線上を前後方向に延在しており、テーブル主板１４に形成された切欠部１４に位置して外部に露呈し、テーブル主板１４を左側シールド３に折り畳み可能に装着するためのヒンジ軸を兼ねている。以降、部分２６Ｄ、２６Ｅをヒンジ軸部２６Ｄ、２６Ｅと呼ぶ。
【００４２】
左側シールド３の板金部材５には、図５に示されているように、前後２箇所に軸支持ブラケット４０がボルト４２によって固定されている。軸支持ブラケット４０には前後方向に水平に延在する円形横断面の軸受孔４４が貫通されている。前側の軸支持ブラケット４０の軸受孔４４にはヒンジ軸部２６Ｄが回動可能に貫挿されており、後側の軸支持ブラケット４０の軸受孔４４にはヒンジ軸部２６Ｅが回動可能に貫挿されている。
【００４３】
これにより、ヒンジ軸部２６Ｄ、２６Ｅが軸支持ブラケット４０によって回動可能に支持され、テーブル主板１４は、略水平に延在する使用位置と略鉛直に延在する収納位置との間を回動可能である。テーブル主板１４の収納位置は、テーブル主板１４がヒンジ軸部２６Ｄ、２６Ｅより垂下して外側パネル６の外面に沿う位置である。
【００４４】
下板１８の中央部の下底面には、図４に示されているように、ロッド支持部材４６が固定されている。ロッド支持部材４６は丸棒製の支持ロッド４８の連結部４８Ａをヒンジ軸部２６Ｄ、２６Ｅに対して離接方向にスライド可能に且つ回動可能に支持している。支持ロッド４８は、連結部４８Ａの両端より各々略９０度折曲されて延在する脚部４８Ｂ、４８Ｃおよび脚部４８Ｂ、４８Ｃの先端より互いに離れる方向に略９０度折曲されて連結部４８Ａと平行な方向に延在する係合部４８Ｄ、４８Ｅを有して略ステープル状をなしており、両脚部４８Ｂ、脚部４８Ｃが互いに離接方向（前後方向）に弾性変形するばね性を有している。
【００４５】
板金部材５には、図６に示されているように、カム部材５０がボルト５２によって固定されている。カム部材５０には開口５０Ａが形成されており、開口５０Ａを画定する前後の端面がカム面５０Ｂ、５０Ｃになっている。カム面５０Ｂ、５０Ｃは、係合部４８Ｄ、４８Ｅの回動中心と同心の円弧状に上下方向に延在しており、上端および下端が各々前後方向に凹んだ凹部５０Ｄ、５０Ｅになっている。ロッド支持部材４６の脚部４８Ｂ、４８Ｃは開口５０Ａに挿入され、係合部４８Ｄ、４８Ｅはカム部材５０の内側に形成された支持部（不図示）に回動可能に係合している。これにより、ロッド支持部材４６は係合部４８Ｄ、４８Ｅを中心として水平軸線周りに回動可能である。
【００４６】
脚部４８Ｂ、４８Ｃは、テーブル主板１４の使用位置と収納位置との間の回動においてカム面５０Ｂ、５０Ｃに対して摺動する部分（係合部４８Ｄ、４８Ｅに近い部分）を有し、テーブル主板１４の使用位置があるときには凹部５０Ｄに係合して自身のばね力によってテーブル主板１４が使用位置にあることを、所定値以上の外力がテーブル主板１４に作用しない限り維持し、テーブル主板１４の収納位置があるときには凹部５０Ｅに係合して自身のばね力によってテーブル主板１４が収納位置にあることを所定値以上の外力がテーブル主板１４に作用しない限り維持する。これにより、テーブル主板１４は、回動操作だけで、他の操作を要することなく、使用位置あるいは収納位置の何れかに選択的に安定して位置する。
【００４７】
テーブル板１２の外周縁がテーブル主板１４よりも可撓性が高い材質による外縁部材３０によって構成され、外縁部材３０にテーブル主板１４の歪みの発生を抑制したり、テーブル主板１４の成形時の歪みをなくしたりする作用がなくても、変形抑制ロッド２６、２８がその作用をし、テーブル主板１４および化粧板２０の上面の平坦性が担保される。
【００４８】
テーブル主板１４の歪みはテーブル主板１４の長辺を湾曲させる方向に生じ易いので、変形抑制ロッド２６の部分２６Ａおよび変形抑制ロッド２８がテーブル主板１４の長辺をなす外側あるいは内側の辺部に沿って設けられていることにより、テーブル主板１４の歪みの発生を抑制したり、テーブル主板１４の成形時の歪みをなくしたりする作用が顕著に得られ、テーブル主板１４および化粧板２０の上面の平坦性が確実に担保される。更には、変形抑制ロッド２６、２８がテーブル主板１４の外周縁部に沿って設けられて枠状をなしていることにより、変形抑制ロッド２６、２８の大径化を招くことなくテーブル主板１４の歪みの発生を抑制し、成形時の歪みをなくす作用がより一層顕著に得られ、テーブル主板１４および化粧板２０の上面の平坦性がより一層確実に担保される。
【００４９】
変形抑制ロッド２６は、部分（ヒンジ軸部）２６Ｄ、２６Ｅにおいてテーブル板１２を回動自在に支持するためのヒンジ軸を兼ねているから、テーブル板１２を回動自在に支持するためのヒンジ軸を別途設ける必要がなく、構造の簡素化と部品点数の削減が図られる。ヒンジ軸部２６Ｄ、２６Ｅは、高い剛固性を要求される変形抑制ロッド２６の一部によって構成されるので、必然的に高い剛固性が確保され、ヒンジ接続が高い強度をもって確実に行われる。
【００５０】
テーブル板１２の支持は、左側シールド３に取り付けられた軸支持ブラケット４０の軸受孔４４にヒンジ軸部２６Ｅ、２６Ｅが回動可能に貫通するだけで行われるので、当該支持が少ない部品点数をもって簡素に且つ確実に行われ、支持構造を複雑なものにすることがない。
【００５１】
外縁部材３０は、全体をエラストマー等の軟質材により構成されているので、良好な緩衝性が得られ、併せてテーブル板１２を使用位置や収納位置に回動させる際のテーブル板１２の手触りがよいものになる。
【００５２】
外縁部材３０がテーブル主板１４の前辺および後辺に沿う部分が変形容易部３２になっていることにより、テーブル主板１４の前辺および後辺に対応する部分において、より良好な緩衝性が得られ、テーブル板１２の前部あるいは後部に物が当たっても大きな異音を生じることがない。変形容易部３２の柔軟性は、変形容易部３２の肉厚および形状に加えてリブ３６によって適性なものに、高い自由度をもって設定することができる。
【００５３】
以上、本発明を、その好適な実施形態について説明したが、当業者であれば容易に理解できるように、本発明はこのような実施形態により限定されるものではなく、本発明の趣旨を逸脱しない範囲で適宜変更可能である。
【００５４】
例えば、変形抑制ロッド２６、２８は、必ずしもテーブル主板１４に装着されている必要はなく、外縁部材３０に固定されていたり、外縁部材３０にインサート成形されていてもよい。また、変形抑制ロッド２６、２８はテーブル主板１４および外縁部材３０の双方に装着されていても、テーブル主板１４あるいは外縁部材３０にインサート成形されていてもよい。変形抑制部材は、変形抑制ロッド２６および２８が一体になっていてテーブル主板１４を取り囲む閉ループ構造のものであってもよい。変形抑制部材は、ロッドによるものに限られることはなく、板状のものや鉤形断面形状や溝形断面形状のもの等であってもよい。変形抑制部材は、テーブル主板１４より高い曲げ剛性を有していれば、金属製に限られることなく、合成樹脂の成形品であってもよい。
【００５５】
上記実施形態では、本発明を車両用シートに適用した例を説明したが、本発明に係るシートは航空機用や鉄道用等の様々なシートに適用することもできる。また、上記実施形態に示したシートＳの各構成要素は必ずしも全てが必須ではなく、適宜選択することができる。
【符号の説明】
【００５６】
Ｃ      バックカバー
Ｓ      シート
２      右側シールド
３      左側シールド
４      後側シールド
５      板金部材
６      外側パネル
７      内側パネル
１０    シート用テーブル装置
１２    テーブル板
１４    テーブル主板
１６    上板
１８    下板
２０    化粧板
２６    変形抑制ロッド
２６Ｄ  部分（ヒンジ軸部）
２６Ｅ  部分（ヒンジ軸部）
２８    変形抑制ロッド
３０    外縁部材
３２    変形容易部
３４    空間
３６    リブ
４０    軸支持ブラケット（軸支持部材）
４４    軸受孔
４６    ロッド支持部材
４８    支持ロッド
５０    カム部材
【図１】
0006280906.tif 000002
【図２】
0006280906.tif 000003
【図３】
0006280906.tif 000004
【図４】
0006280906.tif 000005
【図５】
0006280906.tif 000006
【図６】
0006280906.tif 000007